(57)【要約】【課題】電動モータや回転軸への負荷を抑えつつ、肩や腰といった使用者の左右の施療部に好適な叩きマッサージや振動マッサージを付与する。【解決手段】本発明のマッサージ機１は、電動モータ７と、電動モータ７により駆動される回転軸８と、回転軸８の両端側に取り付けられた偏心回転体９と、回転軸８に対して略直交するように設けられ、且つ先端側が施療子２とされると共に基端側が、偏心回転体９に連結されている連結アーム１０と、有しており、一対の回転軸８の一方に取り付けられた偏心回転体９と、他方に取り付けられた偏心回転体９とが逆相で回転していることを特徴とする。【選択図】図３
2016007493.tif 000002
【特許請求の範囲】
【請求項１】
電動モータと、
前記電動モータにより駆動される回転軸と、
前記回転軸の両端側に取り付けられた偏心回転体と、
前記回転軸に対して略直交するように設けられ、且つ先端側が施療子とされると共に基端側が、前記偏心回転体に連結されている連結アームと、有しており、
前記一対の回転軸の一方に取り付けられた偏心回転体と、他方に取り付けられた偏心回転体とが逆相で回転している
ことを特徴とするマッサージ機。
【請求項２】
前記偏心回転体の一方側には、電動モータの回転軸が嵌り込むようになっており、
前記偏心回転体の他方側には、電動モータの回転軸の軸心とは偏心した位置に連結ピンが設けられており、
前記連結ピンが前記連結アームの基端側に回動自在に連結されている
ことを特徴とする請求項１に記載のマッサージ機。
【請求項３】
前記連結アームの先端側は、弾性支持部材を介して電動モータに連結されている
ことを特徴とする請求項１又は２に記載のマッサージ機。
【請求項４】
前記偏心回転体には、当該偏心回転体の回転バランスを取るためのバランス錘が配備されている
ことを特徴とする請求項１〜３のいずれかに記載のマッサージ機。
【発明の詳細な説明】
【技術分野】
【０００１】
本発明は、施療部に対して振動を加えたり叩き動作を行ったりすることによりマッサージを行うマッサージ機に関する。
【背景技術】
【０００２】
例えば、叩き動作により施療部に対してマッサージを行う振動型マッサージ機としては、特許文献１に示すようなものがある。
このマッサージ機は、モータと連動して回転する回転軸を偏心カムに圧入されている一方向クラッチと嵌合させると共に、この偏心カムをリンクに係合させて、先端にたたきヘッドが備えられたリンクを直線運動させる、といった構成を有している。
【先行技術文献】
【特許文献】
【０００３】
【特許文献１】特開平５−３９０３号公報
【発明の概要】
【発明が解決しようとする課題】
【０００４】
特許文献１のマッサージ機の構成を用いて、両肩や腰部の両サイドなどの被施療部に対してマッサージを行おうとした場合、電動モータに対して、その両側にそれぞれ偏心カム及びリンクを設けることになる。
この場合、マッサージ中にリンクなどに加わる被施療部側から加わる力（すなわち、被施療部からの反力）は、当該リンクが電動モータの両側に存在するが故に、特許文献１のマッサージ機の２倍近い力が電動モータなどに伝わることになる。そのため、従来型のマッサージ機構を採用した場合、電動モータやその回転軸への負荷が多大なものとなる。
【０００５】
本発明は、上述の問題を鑑みてなされたものであり、電動モータや回転軸への負荷を抑えつつ、肩や腰といった使用者の左右の施療部に好適な叩きマッサージや振動マッサージを付与可能なマッサージ機を提供することを目的とする。
【課題を解決するための手段】
【０００６】
上記課題を解決するために、本発明は以下の手段を講じた。
すなわち、本発明にかかるマッサージ機は、電動モータと、前記電動モータにより駆動される回転軸と、前記回転軸の両端側に取り付けられた偏心回転体と、前記回転軸に対して略直交するように設けられ、且つ先端側が施療子とされると共に基端側が、前記偏心回転体に連結されている連結アームと、有しており、前記一対の回転軸の一方に取り付けられた偏心回転体と、他方に取り付けられた偏心回転体とが逆相で回転していることを特徴とする。
【０００７】
好ましくは、前記偏心回転体の一方側には、電動モータの回転軸が嵌り込むようになっており、前記偏心回転体の他方側には、電動モータの回転軸の軸心とは偏心した位置に連結ピンが設けられており、前記連結ピンが前記連結アームの基端側に回動自在に連結されているとよい。
好ましくは、前記連結アームの先端側は、弾性支持部材を介して電動モータに連結されているとよい。
【０００８】
好ましくは、前記偏心回転体には、当該偏心回転体の回転バランスを取るためのバランス錘が配備されているとよい。
【発明の効果】
【０００９】
本発明に係るマッサージ機によれば、電動モータや回転軸への負荷を抑えつつ、肩や腰といった使用者の左右の施療部に好適な叩きマッサージや振動マッサージを付与可能となる。
【図面の簡単な説明】
【００１０】
【図１】本実施形態のマッサージ機の構成を示した分解図である。
【図２】本実施形態のマッサージ機構の全体を示した平面斜視図である。
【図３】本実施形態のマッサージ機構の内部構造を示した断面図である。
【図４】本実施形態のマッサージ機構の使用態様を示した斜視図である。
【発明を実施するための形態】
【００１１】
本発明のマッサージ機１の実施形態を、図面に基づいて説明する。
図４に示すように、本実施形態のマッサージ機１は、使用者Ｕの身体における左右両側に跨る施療部、例えば背骨を挟むように左半身と右半身とに跨って位置する腰、肩、首などの施療部に対して施療子２を接触させることでマッサージを行う構成となっている。この施療子２により行われるマッサージには、叩き動作と振動動作とのいずれか一方を選択できる。
【００１２】
叩き動作は、左の施療子２Ｌを引っ込めた状態で右の施療子２Ｒだけを施療部側に向かって押し出し、次に右の施療子２Ｒを引っ込めると同時に左の施療子２Ｌだけを施療部側に向かって押し出すといった動作を連続して繰り返し行うものとなっている。このような叩き動作を行えば、押し出された施療子２Ｌ、２Ｒで左右の施療部を交互に押動することができ、左右の施療部を叩くようにマッサージすることができる。
【００１３】
また、振動動作は、左右の施療部を前後に押動するタイミングを叩きマッサージより速くすることで、左右の施療部を施療子２Ｌ、２Ｒで叩くピッチを上げて、左右の施療部に振動を付与しつつマッサージを行う構成となっている。
上述したように本発明のマッサージ機１は、叩き動作や振動動作を適宜選択可能となっており、使用者Ｕが腰や背中といった施療部に押し当てることでマッサージを行うものである。具体的には、図４に示すように椅子や床などにマッサージ機１を置いておき、マッサージ機１に覆い被さるように使用者Ｕが腰掛けたり寝転がったりすることで、マッサージ機１を腰や背中などの施療部に押し当てることができる。
【００１４】
それゆえ、上述したマッサージ機１は施療部に押し当てやすいようにコンパクトなものとなっており、その外観は腰や肩などの施療部を上下方向や左右方向にカバー可能な面積を備えた長方形の角形状となっている。なお、以降の説明では、図４に示すように、椅子の背もたれ部に立て掛けるようにして載置されて、前方に位置する腰などの施療部をマッサージするような使用態様にあるマッサージ機１を例に挙げて、本発明のマッサージ機１を説明する。
【００１５】
図１に示すように、本実施形態のマッサージ機１は、長方形の角形状のケーシング３内にマッサージ機構４を収容したものとなっており、このケーシング３の周囲（上下左右側の周囲及び後側）にはクッション材６が被覆状に設けられ、全体として四角い筺形状の外観を有している。ケーシング３おける施療部側に面する正面には、左右に１箇所ずつ施療用開口５が形成されており、この施療用開口５からは施療子２が施療部側に向かって突出した状態で配備されていて、施療子２の突出した部分で施療部に対して叩き動作乃至は振動動作を付与することが可能となっている。
【００１６】
なお、以降の説明において、図３における左右方向を、マッサージ機１を説明する場合の「左右方向」と言う。また、図３における上下方向を、マッサージ機１を説明する場合の「前後方向」と言う。さらに、図３における紙面貫通方向を、マッサージ機１を説明する場合の「上下方向」と言う。これらの方向は、図１〜図３において適宜図示している。
以降、本発明のマッサージ機１に備えられたケーシング３及びケーシング３内に配備されたマッサージ機構４の詳細を述べる。
【００１７】
図１に示すように、ケーシング３は、マッサージ機構４を収容可能なように内部が空洞とされた筺状の部材であり、合成樹脂や金属などを用いて形成されている。このケーシング３は、前側ケース３Ｆと後側ケース３Ｂとを前後に組み合わせた構成となっており、前方に向かって開口した後側ケース３Ｂと、後方に向かって開口した前側ケース３Ｆとを組み合わせることで内部が空洞とされた筺体として形成されている。
【００１８】
また、前側ケース３Ｆの前方（施療部側）を向く面（正面）には、施療子２を使用者Ｕ側に向かって突き出すように配備するための施療用開口５が形成されている。この施療用開口５は、ケーシング３の左側と右側とに別れてそれぞれ形成されており、左側の施療用開口５Ｌには左の施療子２Ｌが、また右側の施療用開口５Ｒには右の施療子２Ｒがそれぞれ後方から前方に向かって突出するように配備されている。それぞれの施療用開口５Ｌ、
５Ｒは、正面から見て略矩形状に形成されており、幅方向の内側の端縁に対して外側の端縁が半円形状に形成されたような形状に開口していて、叩き動作や振動動作をする施療子２と接触しないようになっている。
【００１９】
さらに、上述したケーシング３の周囲には、発泡ウレタンなどのクッション材６が配備されている。このクッション材６は、ケーシング３よりも寸法が大きな角状に形成されており、その前面には前方に向かって開口した凹部１６が形成されている。そして、この凹部１６にケーシング３を嵌め込むように、クッション材６によりケーシング３の周囲（上下左右及び後方）が覆われている。このようにケーシング３の周囲をクッション材６で覆えば、外部から大きな力が加わってもケーシング３やマッサージ機構４が破損しにくくなる。さらにまた、クッション材６の外側には、布製のカバーが設けられている。
【００２０】
次に、上述したケーシング３の内部に収容されたマッサージ機構４について説明する。
図２及び図３に示すように、マッサージ機構４は、電動モータ７、回転軸８、偏心回転体９、及び連結アーム１０を備えており、偏心回転体９を用いて電動モータ７で発生した回転軸８の回転運動を変換して連結アーム１０を前後に並進運動（前後の出退運動）させることで、連結アーム１０の先端に設けられた施療子２で施療部をマッサージできるようになっている。
【００２１】
電動モータ７は、左右方向に向けて配備された回転軸８（駆動軸）に回転駆動力を発生させる部材であり、左右の施療子２Ｌ、２Ｒを動作させるに十分な出力を回転軸８に付与できるようになっていて、ケーシング３の内部の略中央に配備されている。具体的には、ケーシング３の内側には、円環状の制振用のゴム部材１１が左右に１つずつ配備されており、この制振用のゴム部材１１を介して電動モータ７をケーシング３で支持している。
【００２２】
また、電動モータ７の筐体前側には、後述する弾性支持部材１２を取り付けるための取付部１３が設けられている。この取付部１３は、円筒状とされた電動モータ７の筐体の一部を前方に向かって延設した部分であり、その前端に弾性支持部材１２が連結されている。
上述した回転軸８は、左右方向に軸心を向けて配備された長尺棒状の部材である。この回転軸８の長手方向の中途部には上述した電動モータ７が位置している。つまり、この回転軸８は、電動モータ７を基準として、電動モータ７の左側に設けられる左回転軸８Ｌと、電動モータ７の右側に設けられる右回転軸８Ｒとを備えたものとなっている。この左回転軸８Ｌの先端（左端）には左偏心回転体９Ｌが、右回転軸８Ｒの先端（右端）には右偏心回転体９Ｒが設けられている。
【００２３】
偏心回転体９は、回転軸８の回転運動を連結アーム１０の並進運動に変換する部材（クランク部材）であり、回転軸８の軸心に対して垂直となるように設けられた円板状の部材である。上述したマッサージ機１に設けられる偏心回転体９には、上述した左回転軸８Ｌの左端に設けられる左偏心回転体９Ｌと、右回転軸８Ｒの右端に設けられる右偏心回転体９Ｒとがある。これら左右の偏心回転体９Ｌ、９Ｒは、いずれも回転軸８の軸心に対して同軸となるように取り付けられている。
【００２４】
具体的には、左偏心回転体９Ｌの右側面の中央に左回転軸８Ｌの左端が嵌入状態で挿し込まれ、右偏心回転体９Ｒの左側面の中央に右回転軸８Ｒの右端が嵌入状態で挿し込まれていて、左右の偏心回転体９Ｌ、９Ｒは回転軸８に対して互いに線対称な構造となっている。
なお、回転軸８が嵌入していない側の側面、つまり左偏心回転体９Ｌの左側面や右偏心回転体９Ｒの右側面には、回転軸８の回転運動を連結アーム１０の並進運動に変換する連結ピン１４が設けられている。この連結ピン１４は、偏心回転体９の側面における回転軸８の軸心とは偏心した位置に取り付けられており、回転軸８の軸心から距離をあけた位置に配備されている。そのため、偏心回転体９を回転させた際には、連結ピン１４は回転軸８の軸心回りを周回する軌道に沿って移動することになる。また、この連結ピン１４には連結アーム１０の基端側（後端）も連結しており、偏心回転体９を回転させた際には連結アーム１０の基端側も回転軸８の軸心回りを周回する。つまり、偏心回転体９は、回転軸８の回転運動を、連結アーム１０の並進運動に変換するクランクとして機能している。
【００２５】
連結アーム１０は、偏心回転体９と施療子２とを連結する長尺な部材であり、左偏心回転体９Ｌと右偏心回転体９Ｒとにそれぞれ１つずつ、左右で一対設けられている。それぞれの連結アーム１０の基端側（後端）は、先端側（前端）より幅がある円板状（側面視で円板形状）に形成されており、電動モータ７側を向く側面には、上述した連結ピン１４を嵌入可能な連結凹部が形成されている。具体的には、この連結凹部にはベアリング１８を介して連結ピン１４が嵌入しており、連結アーム１０の基端側は連結ピン１４に対して左右方向を向く軸回りに回転自在に支持されている。つまり、連結アーム１０は、この連結凹部に上述した連結ピン１４を嵌入させることで、偏心回転体９の回転方向の力を並進方向の力に変換するカムシャフトとして機能するようになっている。
【００２６】
また、連結アーム１０は、偏心回転体９から前方に向かって伸び、次に左右方向の内側に向かってほぼ直角に曲がっており、この曲げられた部分に施療子２と弾性支持部材１２とが取り付けられている。
施療子２は、使用者Ｕの施療部に対して叩きマッサージや振動マッサージを行う部材である。施療子２の先端（前端）は、前方に向かって緩やかに膨らむように湾曲した形状とされており、緩やかに膨らんだ先端で施療部を押動することでツボ押し効果を奏しやすいものとなっている。施療子２の基端（後端）は、ボルトなどを用いて連結アーム１０の先端側（連結アーム１０の先端側の曲げられた部分）に固定されている。
【００２７】
弾性支持部材１２は、連結アーム１０の先端側（前端側）と、電動モータ７（取付部１３）とを連結する部材であり、偏心回転体９の回転に伴って連結アーム１０が同伴回動することを抑制可能となっている。本実施形態では、弾性支持部材１２は、ゴムなどで形成された板部材で形成されており、左側の連結アーム１０と右側の連結アーム１０とに対応して左右にそれぞれ設けられている。
【００２８】
例えば、左側の弾性支持部材１２を例に挙げれば、弾性支持部材１２は、上下方向及び左右方向に沿うように配備されている。弾性支持部材１２の左端側は連結アーム１０の先端側（施療子２が取り付けられた位置よりも幅方向内側に位置する連結アーム１０の先端側）に連結されている。また、弾性支持部材１２の右端側は、上述した電動モータ７の前壁部に連結されており、連結アーム１０が偏心回転体９と一緒に同伴回動することを抑制している。
【００２９】
上述した弾性支持部材１２をゴムのような弾性材料で形成すれば、連結アーム１０が前後方向に沿ってある程度移動することは許容される。しかし、その一方で、弾性支持部材１２により電動モータ７の筐体に連結された連結アーム１０は、偏心回転体９の回転に伴って回動することはない。そのため、この弾性支持部材１２により、連結アーム１０の前端に取り付けられた施療子２が、偏心回転体９の回転に伴って前後に進退を繰り返すようになる。このような弾性変形可能な弾性支持部材１２を用いれば、ジョイント部材などを設けるのに比べてマッサージ機構４の構造が簡単なもので済み、装置構成を簡略化できるようになる。
【００３０】
ところで、本実施形態のマッサージ機１においては、右回転軸８Ｒに取り付けられた右偏心回転体９Ｒの回転位相と、左側に延びる左回転軸８Ｌに取り付けられた左偏心回転体９Ｌの回転位相とが逆相とされている点が、大きな特徴となっている。具体的には、この「逆相」とは、２つの偏心回転体９Ｌ、９Ｒの間に９０°〜２７０°の位相差があるような場合をいい、一方の偏心回転体９の連結ピン１４の位置と他方の偏心回転体９の連結ピン１４の位置とが９０°〜２７０°（好ましくは、ほぼ１８０°）の位相差を備える場合をいう。
【００３１】
例えば、「逆相」の関係にある偏心回転体９同士では、例えば、左偏心回転体９Ｌの連結ピン１４が左回転軸８Ｌの軸心に対して前方に位置する際に、右偏心回転体９Ｒの連結ピン１４が右回転軸８Ｒの軸心に対して後方に位置することとなる。
なお、左右の偏心回転体９にはバランス錘１５も配備されている。このバランス錘１５は、偏心回転体９における上述した連結ピン１４とは回転軸８の軸心を挟んで反対側に取り付けられており、偏心回転体９の回転時に回転バランスを取ることができるようになっている。このバランス錘１５により、偏心回転体９に発生する不必要な振動を抑制するこ
とができ、施療子２をスムーズに前後に進退させて使用者Ｕに快適な叩きマッサージや振動マッサージを付与することが可能となっている。
【００３２】
上述したように逆相の状態に取り付けられた（アラインメントされた）偏心回転体９では、左右の施療子２Ｌ、２Ｒのうち、一方の施療子２が前方に突出し、この施療子２で腰などの施療部を押圧している（叩いている）時には、他方の施療子２は後方に後退しており、施療部に対するマッサージ動作を行っていない。そのため、前方に突出してマッサージ動作している一方の施療子２には施療部から反力が加わるが、マッサージ動作していない他方の施療子２には施療部から反力が加わることがない。
【００３３】
そして、偏心回転体９をさらに回転させると、今度は、他方の施療子２が前方に突出してマッサージ動作を行い、一方の施療子２は後方に後退してマッサージ動作を行わなくなる。つまり、逆相の状態に取り付けられた偏心回転体９では、左右の施療子２Ｌ、２Ｒに交互に前後し、そのたびに施療部から反力が作用するため、同相の状態に取り付けられた偏心回転体９のように左右の施療子２Ｌ、２Ｒから一度に大きな反力が作用することがなく、回転軸８や電動モータ７への負荷を可及的に少なくすることが可能となる。
【００３４】
それゆえ、本発明のマッサージ機１は、電動モータ７や回転軸８へ一度に大きな負荷が加わることを抑えつつ、使用者Ｕの両肩や腰部の両サイドに好適な叩きマッサージや振動マッサージを付与可能なものとなっている。
上述したマッサージ機１で使用者Ｕの施療部をマッサージする方法、言い換えれば本発明のマッサージ方法について説明する。
【００３５】
まず、電動モータ７に電力を供給し、回転軸８を回転駆動させる。すると、上記した構成により、回転軸８の回転に応じて左右の偏心回転体９Ｌ、９Ｒも軸心回りを回転する。具体的には、左回転軸８Ｌを回転させると、左側面上で左側の連結ピン１４Ｌが左回転軸８Ｌの軸心回りを距離を置いて周回するように移動する。
一方、右偏心回転体９Ｒに関しては、右偏心回転体９Ｒの右側面における右側の連結ピン１４Ｒの位置は、右回転軸８Ｒの軸心から偏心した位置とされるだけでなく、左偏心回転体９Ｌの連結ピン１４Ｌに対して逆位相となっている。そのため、右回転軸８Ｒを回転させると左側の連結ピン１４Ｌと同様に右側の連結ピン１４Ｒも右側面上で右回転軸８Ｒの軸心回りを周回するだけでなく、この右側の連結ピン１４Ｒは左側の連結ピン１４Ｌに対してもほぼ１８０°の位相差をもって回転する。
【００３６】
それゆえ、上述したマッサージ機構４では、左側の連結ピン１４Ｌが左回転軸８Ｌの軸心の前方に位置すると共に、右側の連結ピン１４Ｒが右回転軸８Ｒの軸心の後方に位置するようになる。この状態では、左側の連結アーム１０Ｌは左側の連結ピン１４Ｌが前方に遷移している分だけ前方に突出した位置となり、この左側の連結アーム１０Ｌの前端に設けられた左の施療子２Ｌも前方に突出した位置となる。一方、右側の連結アーム１０Ｒは右側の連結ピン１４Ｒが後方に遷移している分だけ後方に後退した位置となり、この右側の連結アーム１０Ｒの前端に設けられた右の施療子２Ｒも後方に後退した位置となる。それゆえ、右の施療子２Ｒを引っ込めた状態で左の施療子２Ｌだけを施療部側に向かって押し出すことが可能となり、左の施療子２Ｌで左の施療部をマッサージすることが可能となる。
【００３７】
さらに、電動モータ７を回転させると、左偏心回転体９Ｌと右偏心回転体９Ｒとの位置関係が逆となり、左の施療子２Ｌを引っ込めた状態で右の施療子２Ｒだけを施療部側に向かって押し出すことが可能となり、右の施療子２Ｒで右の施療部をマッサージすることが可能となる。
このようにして左右の施療子２Ｌ、２Ｒで施療部を交互にマッサージすることで、上述した叩き動作や振動動作を行うことが可能となる。
【００３８】
なお、本発明のマッサージ機の構成は、上述の実施形態に限定されるものではない。また、今回開示された実施形態において、明示されていない事項、例えば、作動条件や操作条件、構成物の寸法、重量などは、当業者が通常実施する範囲を逸脱するものではなく、通常の当業者であれば、容易に想定することが可能な事項を採用している。
【符号の説明】
【００３９】
１  マッサージ機
２  施療子
２Ｌ  左の施療子
２Ｒ  右の施療子
３  ケーシング
３Ｆ  ケーシング（前側ケース）
３Ｂ  ケーシング（後側ケース）
４  マッサージ機構
５  施療用開口
５Ｒ  右側の施療用開口
５Ｌ  左側の施療用開口
６  クッション材
７  電動モータ
８  回転軸
８Ｌ  左回転軸
８Ｒ  右回転軸
９  偏心回転体
９Ｌ  左偏心回転体
９Ｒ  右偏心回転体
１０  連結アーム
１０Ｌ  左側の連結アーム
１０Ｒ  右側の連結アーム
１１  制振用のゴム部材
１２  弾性支持部材
１３  取付部
１４  連結ピン
１５  バランス錘
１６  凹部
１８  ベアリング
Ｕ  使用者
【図１】
2016007493.tif 000003
【図２】
2016007493.tif 000004
【図３】
2016007493.tif 000005
【図４】
2016007493.tif 000006